(57)【要約】【課題】  駐車場の駐車区画を長期間に渡って明瞭に表示でき、製造コストが安価で、設置が非常に容易であり、設置作業コストも安価な駐車区画表示具および駐車区画表示方法を提供する。【解決手段】  境界表示用の駐車区画表示具１は、駐車区画の境界を表示する偏平な形状を有し、上面を地上に露出される露出部２と、この露出部２から下方に延びており、地中に打ち込まれる杭部３とを有する。露出部２をそれぞれＴ字、Ｌ字および直線状とされた駐車区画表示具１を、それぞれ互いに隣り合う駐車区画の隅部、隣りがない駐車区画の隅部、駐車区画の境界のうちの隅部でない位置に打ち込んで設置することにより、駐車区画を明瞭に表示できる。露出部に文字または記号を担持させた識別用の駐車区画表示具を別途に設ければ、各駐車区画を他の駐車区画と容易に識別可能になる。【選択図】    図１
2006342531.tif 000002
【特許請求の範囲】
【請求項１】
駐車場における各駐車区画の境界を表示する駐車区画表示具であって、各駐車区画の境界を表示する偏平な形状を有しており、少なくとも上面を地上に露出される露出部と、この露出部から下方に延びており、地中に打ち込まれる杭部とを有してなる駐車区画表示具。
【請求項２】
前記露出部は上方から見て大略Ｔ字状をなしている請求項１記載の駐車区画表示具。
【請求項３】
前記露出部は上方から見て大略Ｌ字状をなしている請求項１記載の駐車区画表示具。
【請求項４】
前記露出部は上方から見て直線状をなしている請求項１記載の駐車区画表示具。
【請求項５】
前記露出部と前記杭部とは一体的に成形されており、前記露出部と前記杭部の上部との間には、前記杭部の長さ方向と平行な平面内に広がるリブが一体的に形成されている請求項１乃至４のいずれかに記載の駐車区画表示具。
【請求項６】
駐車場における各駐車区画を他の駐車区画と識別させるための駐車区画表示具であって、各駐車区画を他の駐車区画と識別させるための文字または記号を担持し、少なくとも前記文字または記号を担持している部分を地上に露出される露出部と、この露出部から下方に延びており、地中に打ち込まれる杭部とを有してなる駐車区画表示具。
【請求項７】
駐車場において各駐車区画の境界を表示する駐車区画表示方法であって、
上方から見て大略Ｔ字状をなす偏平な形状を有する露出部と、この露出部から下方に延びており、地中に打ち込まれる杭部とを有してなるＴ字状駐車区画表示具と、上方から見て大略Ｌ字状をなす偏平な形状を有する露出部と、この露出部から下方に延びており、地中に打ち込まれる杭部とを有してなるＬ字状駐車区画表示具と、上方から見て直線状をなす偏平な形状を有する露出部と、この露出部から下方に延びており、地中に打ち込まれる杭部とを有してなる直線状駐車区画表示具とを用意し、
前記駐車区画の隅部のうち、２つの前記駐車区画が互いに隣り合う部分における隅部においては、前記Ｔ字状駐車区画表示具の前記杭部を地中に打ち込み、該Ｔ字状駐車区画表示具の前記露出部の方は、該露出部がなすＴ字の２辺が前記駐車区画の境界に沿い、かつ少なくとも該露出部の上面が地上に露出した状態とすることにより、前記隅部を表示し、
前記駐車区画の隅部のうち、隣りに前記駐車区画がない隅部においては、前記Ｌ字状駐車区画表示具の前記杭部を地中に打ち込み、該Ｌ字状駐車区画表示具の前記露出部の方は、該露出部がなすＬ字の２辺が前記駐車区画の境界に沿い、かつ少なくとも該露出部の上面が地上に露出した状態とすることにより、前記隅部を表示し、
前記駐車区画の境界のうちの隅部でない位置においては、前記直線状駐車区画表示具の前記杭部を地中に打ち込み、該直線状駐車区画表示具の前記露出部の方は、該露出部が前記駐車区画の境界に沿い、かつ少なくとも該露出部の上面が地上に露出した状態とすることにより、前記駐車区画の境界のうちの隅部でない部分を表示する駐車区画表示方法。
【発明の詳細な説明】
【技術分野】
【０００１】
本発明は、駐車場において各駐車区画の境界および識別を表示する駐車区画表示具および駐車区画表示方法に係り、特に、砂利敷き等の非舗装駐車場に好適な駐車区画表示具および駐車区画表示方法に関する。
【背景技術】
【０００２】
近年、都市化の進展に伴い、道路の舗装面やコンクリート構造物等の、地表面を覆う不浸透域が各地において急激に拡大して来ており、これらの不浸透域が地中への雨水の浸透を妨げるようになっている。このため、雨水が僅かしか地中に浸透しないで、一気に河川に流れ込むようになっており、大雨になると、所謂都市型洪水が起こる虞がある一方、普段の河川の流量は減少して水質が悪化するとともに、地下水が枯渇して種々の弊害をもたらすという危機的な事態が、今やますます差し迫った大きな問題となって来ている。
【０００３】
現在のこのような深刻な状況下においては、駐車場も、雨水の地中への浸透を妨げることがないように、砂利敷き等の非舗装駐車場とすることが社会的に大きく要請されるようになって来ている。
【０００４】
しかるに、従来の非舗装の駐車場においては、特許文献１に従来技術として記載されているように、舗装駐車場の場合とは異なり、地面に直接ペンキで各駐車区画の境界線を表示することはできないので、一般には、ロープを境界線に沿って張って各駐車区画の境界線を表示していた。
【０００５】
また、前記特許文献１は、「未舗装状態の駐車場における注釈区域を区画する仕切り線に沿ってゴムベルトを地表面に敷設し、該ゴムベルトを地面へ固定具を介して固定してなることを特徴とする駐車場の駐車区域表示装置」を提案している。
【特許文献１】実開昭５４−３８３３５号公報
【発明の開示】
【発明が解決しようとする課題】
【０００６】
しかしながら、非舗装の駐車場において、従来の一般的な方法のように、ロープを駐車区画の境界線に張る場合には、元々ロープは細くて見えにくい上に、短時日のうちに黒く汚れたり、一部地中に埋もれてますます見えにくくなるとともに、切れて全く用をなさなくなり易いという問題があった。
【０００７】
また、特許文献１に提案されている駐車区域表示装置においては、ゴムベルトの敷設に手間が掛かるとともに、敷設コストが高いという問題があった。
【０００８】
そして、従来は、このような問題が、環境保護面からは極めて優れている砂利敷き等の非舗装駐車場の普及を妨げていた。
【０００９】
本発明は、このような従来の事情に鑑みてなされたもので、本発明の目的は、非舗装駐車場において駐車区画を長期間に渡って明瞭に表示することができる駐車区画表示具および駐車区画表示方法を提供することにある。
【００１０】
本発明の他の目的は、製造コストが安価な駐車区画表示具を提供することにある。
【００１１】
本発明の他の目的は、設置が非常に容易で、設置作業コストも安価な駐車区画表示具および駐車区画表示方法を提供することにある。
【００１２】
本発明のさらに他の目的は、各駐車区画を他の駐車区画と明確に識別させることができ、かつ製造コストが安価で、設置が極めて容易であり、設置作業コストも安価な駐車区画表示具を提供することにある。
【００１３】
本発明のさらに他の目的は、以下の説明から明らかになろう。
【課題を解決するための手段】
【００１４】
本発明による駐車場における各駐車区画の境界を表示するための駐車区画表示具は、各駐車区画の境界を表示する偏平な形状を有しており、少なくとも上面を地上に露出される露出部と、この露出部から下方に延びており、地中に打ち込まれる杭部とを有してなるものである。
【００１５】
また、本発明による駐車区画表示方法は、駐車場において各駐車区画の境界を表示する駐車区画表示方法であって、
上方から見て大略Ｔ字状をなす偏平な形状を有する露出部と、この露出部から下方に延びており、地中に打ち込まれる杭部とを有してなるＴ字状駐車区画表示具と、上方から見て大略Ｌ字状をなす偏平な形状を有する露出部と、この露出部から下方に延びており、地中に打ち込まれる杭部とを有してなるＬ字状駐車区画表示具と、上方から見て直線状をなす偏平な形状を有する露出部と、この露出部から下方に延びており、地中に打ち込まれる杭部とを有してなる直線状駐車区画表示具とを用意し、
前記駐車区画の隅部のうち、２つの前記駐車区画が互いに隣り合う部分における隅部においては、前記Ｔ字状駐車区画表示具の前記杭部を地中に打ち込み、該Ｔ字状駐車区画表示具の前記露出部の方は、該露出部がなすＴ字の２辺が前記駐車区画の境界に沿い、かつ少なくとも該露出部の上面が地上に露出した状態とすることにより、前記隅部を表示し、
前記駐車区画の隅部のうち、隣りに前記駐車区画がない隅部においては、前記Ｌ字状駐車区画表示具の前記杭部を地中に打ち込み、該Ｌ字状駐車区画表示具の前記露出部の方は、該露出部がなすＬ字の２辺が前記駐車区画の境界に沿い、かつ少なくとも該露出部の上面が地上に露出した状態とすることにより、前記隅部を表示し、
前記駐車区画の境界のうちの隅部でない位置においては、前記直線状駐車区画表示具の前記杭部を地中に打ち込み、該直線状駐車区画表示具の前記露出部の方は、該露出部が前記駐車区画の境界に沿い、かつ少なくとも該露出部の上面が地上に露出した状態とすることにより、前記駐車区画の境界のうちの隅部でない部分を表示するものである。
【００１６】
このような本発明によれば、駐車区画表示具の露出部の上面側から叩いて、杭部を地中に打ち込むことにより、駐車区画表示具を簡単に非舗装の駐車場に設置することができる。そして、露出部の少なくとも上面は地上に露出させることにより、駐車区画を表示することができる。
【００１７】
ここで、露出部は細いロープに比較して広面積とすることができるので、駐車区画の境界を明瞭に表示することができる。そして、撚って作られることにより、不可避的に表面に細かい凹凸を多数有するロープに比し、プラスチックや金属等を成形して製造できる駐車区画表示具の露出部は汚れにくい構成とすることができるので、駐車区画の境界を長期間に渡って明瞭に表示することができる。
【００１８】
また、上記本発明の駐車区画表示具は、プラスチック等を一体成形することにより製造できるので製造コストを安価にできる。
【００１９】
さらに、本発明の駐車区画表示具および駐車区画表示方法は、上述のように設置が極めて容易であるので、設置作業コストも安価にすることができる。
【００２０】
他方、本発明による各駐車区画を他の駐車区画と識別させるための駐車区画表示具は、各駐車区画を他の駐車区画と識別させるための文字または記号を担持し、少なくとも前記文字または記号を担持している部分を地上に露出される露出部と、この露出部から下方に延びており、地中に打ち込まれる杭部とを有してなるものである。
【００２１】
このような識別用の駐車区画表示具を各駐車区画の近傍または区画内に設置することにより、各駐車区画を他の駐車区画と明確に識別できるようになる。そして、これらの識別用の駐車区画表示具の設置も、該表示具の杭部を地中に打ち込むことにより簡単に行うことができる。
【発明の効果】
【００２２】
本発明の各駐車区画の境界を表示するための駐車区画表示具および駐車区画表示方法は、
（イ）駐車区画を長期間に渡って明瞭に表示することができる、
（ロ）製造コストが安価である、
（ハ）設置が極めて容易で、設置作業コストも安価にすることができる、
（ニ）これらにより、環境保護に極めて優れている砂利敷き等の非舗装駐車場の普及を推進することができる、
等の優れた効果を得られるものである。
【００２３】
また、本発明の識別用の駐車区画表示具は、各駐車区画を他の駐車区画と明確に識別させることができ、かつ製造コストが安価で、設置が極めて容易であり、設置作業コストも安価である等の優れた効果を得られるものである。
【発明を実施するための最良の形態】
【００２４】
以下、本発明を図面に示す実施例に基づいて説明する。
【実施例】
【００２５】
図１〜２４は本発明の一実施例を示し、このうち図１〜１０は本実施例におけるＴ字状駐車区画表示具１を示している。このＴ字状駐車区画表示具１は、ＡＢＳ樹脂等のプラスチックにより露出部２と杭部３とリブ４とを一体成形してなる。前記露出部２は、全体に偏平で、図３によく示されるように、上方から見て大略Ｔ字状の板状をなしている。前記杭部３は、露出部２から垂直下方に延びており、図７および９によく示されるように、横断面大略正方形状とされており、先端側は先細とされている。前記杭部３の相対向する２つの側面には、斜め上方に突出する返し状の外部抜け止め突起５がそれぞれ適当数一体的に設けられている。前記杭部３の他の２つの側面には、該杭部３の長さ方向に沿って、基本的には断面四角形状をなす(図９参照)溝６が設けられている。図８によく示されるように、これらの溝６には、該溝６の底部から斜め上方に立ち上がる傾斜面７ａを備えた返し状の溝内抜け止め突起７がそれぞれ適当数一体的に設けられている。前記リブ４は、杭部３の４つの側面の上部中央部と露出部２の下面との間において、それぞれ杭部３の長さ方向と平行な平面内において大略三角形状に広がるように一体的に形成されている(したがって、１つのＴ字状駐車区画表示具１に合計４個のリブ４が形成されている)。各リブ４の斜辺４ａは円弧状とされている。
【００２６】
図１１〜１４は、本実施例におけるＬ字状駐車区画表示具８を示している。このＬ字状駐車区画表示具８は、前記Ｔ字状駐車区画表示具１と同様に、ＡＢＳ樹脂等のプラスチックにより露出部２と杭部３とリブ４とを一体成形してなる。このＬ字状駐車区画表示具８の露出部２は、全体に偏平であるが、図１３によく示されように、上方から見て２辺の長さが等しい大略Ｌ字状の板状をなしている。このＬ字状駐車区画表示具８の杭部３およびリブ４は、Ｔ字状駐車区画表示具１の場合と同様の形状をなしている(Ｌ字状駐車区画表示具８に関しても、露出部および杭部に関しては、相当する部分はＴ字状駐車区画表示具１の場合と同一の符号を付している)。
【００２７】
図１５〜１８は、本実施例における直線状駐車区画表示具９を示している。この直線状駐車区画表示具９は、前記Ｔ字状およびＬ字状駐車区画表示具１，８と同様に、ＡＢＳ樹脂等のプラスチックにより露出部２と杭部３とリブ４とを一体成形してなる。この直線状駐車区画表示具９の露出部２は、全体に偏平であるが、図１７によく示されように、上方から見て直線状の板状をなしている。この直線状駐車区画表示具９の杭部３およびリブ４も、Ｔ字状およびＬ字状駐車区画表示具１，８の場合と同様の形状をなしている(直線状駐車区画表示具９に関しても、露出部および杭部に関しては、Ｔ字状およびＬ字状駐車区画表示具１，８の場合と同一の符号を付している)。
【００２８】
図１９〜２２は、本実施例における、各駐車区画を他の駐車区画と識別するための識別用駐車区画表示具１０を示している。この識別用駐車区画表示具１０の本体１１は、前記Ｔ字状、Ｌ字状および直線状駐車区画表示具１，８，９と同様に、ＡＢＳ樹脂等のプラスチックにより露出部２と杭部３とリブ４とを一体成形してなる。この識別用駐車区画表示具１０の本体１１の露出部２は、全体に偏平であるが、図２１によく示されように、上方から見て矩形の板状をなしている。そして、この露出部２の上面側には全長に渡って識別板収容溝１２が設けられている。この識別板収容溝１２内には、プラスチックからなる矩形状の識別板１３を取り付けることができるようになっている。前記識別板１３には、駐車区画の番号を示す数字や、駐車区画の使用者の名前等を表示する文字、記号等１４が担持されるようになっている。この識別用駐車区画表示具１０の杭部３およびリブ４も、前記Ｔ字状、Ｌ字状および直線状駐車区画表示具９の場合と同様の形状をなしている(識別用駐車区画表示具１０に関しても、露出部および杭部に関しては、相当する部分は基本的にはＴ字状、Ｌ字状および直線状駐車区画表示具１，８，９の場合と同一の符号を付している)。
【００２９】
各駐車区画表示具１，８，９，１０は、露出部２の上面側から叩いて、図２３のように、露出部２の下面が地面１８に接するまで、杭部３を地中に打ち込むことにより、簡単に非舗装の駐車場に設置することができる。なお、図２３は、砂利敷きの駐車場の場合を示しており、土層１５の上に砂利層１６が設けられている。また、図２３は、Ｔ字状駐車区画表示具１のみを示しているが、他のＬ字状、直線状および識別用駐車区画表示具８，９，１０も同様にして杭部３を地中に打ち込んで設置することができる。
【００３０】
次に、図２４を参照して、各駐車区画表示具１，８，９，１０を用いて駐車区画１７を表示および識別させる方法を説明する。
【００３１】
駐車区画１７の隅部のうち、２つの駐車区画１７が互いに隣り合う部分における隅部においては、Ｔ字状駐車区画表示具１の杭部３を地中に打ち込み、該Ｔ字状駐車区画表示具１の露出部２がなすＴ字の２辺２ａ，２ｂが駐車区画の境界に沿わされた状態で地上に露出されるようにする。これにより、２つの隣り合う駐車区画１７の隅部を表示することができる。
【００３２】
駐車区画１７の隅部のうち、隣りに駐車区画１７がない隅部(図２４では、左上および左下の隅部)においては、Ｌ字状駐車区画表示具８の杭部３を地中に打ち込み、該Ｌ字状駐車区画表示具８の露出部２がなすＬ字の２辺２ａ，２ｂが駐車区画１７の境界に沿わされた状態で地上に露出されるようにする。これにより、隣りに駐車区画１７がない駐車区画１７の隅部を表示することができる。
【００３３】
駐車区画１７の境界のうちの隅部でない位置においては、直線状駐車区画表示具９の杭部３を地中に打ち込み、該直線状駐車区画表示具９の露出部２が駐車区画１７の境界に沿わされた状態で地上に露出されるようにする。これにより、駐車区画１７の境界のうちの隅部でない部分を表示することができる。
【００３４】
このようにして、Ｔ字状、Ｌ字状および直線状駐車区画表示具１，８，９の杭部３を地中に打ち込むことにより、各駐車区画表示具１，８，９を簡単に非舗装の駐車場に設置して、駐車区画１７を表示することができる。
【００３５】
ここにおいて、Ｔ字状、Ｌ字状および直線状駐車区画表示具１，８，９の露出部２は、細いロープに比較して広面積とすることができるので、駐車区画１７の境界を明瞭に表示することができる。そして、撚って製造されることにより、不可避的に表面に細かい凹凸を多数有するロープに比し、プラスチックや金属等を成形して製造できる駐車区画表示具の露出部２は汚れにくい構成とすることができるので、駐車区画１７の境界を長期間に渡って明瞭に表示することができる。
【００３６】
また、Ｔ字状、Ｌ字状および直線状駐車区画表示具１，８，９は、プラスチック等を一体成形することにより製造できるので製造コストを安価にできる。
【００３７】
さらに、上述のように駐車区画表示具１，８，９の設置は極めて容易であるので、設置作業コストも安価にすることができる。
【００３８】
なお、駐車区画１７の番号を示す数字や、駐車区画１７の使用者の名前等を表示する文字、記号等を識別板１３に担持させた識別用駐車区画表示具１０を、各駐車区画１７の近傍または区画内に設置することにより、各駐車区画１７を他の駐車区画１７と明確に識別できるようになる。そして、これらの識別用駐車区画表示具１０の設置も、該表示具の杭部３を地中に打ち込むことにより簡単に行うことができる。
【００３９】
また、本実施例では、各駐車区画表示具１，８，９，１０は、露出部２と杭部３とが一体的に成形されており、露出部２と杭部３の上部との間には、杭部３の長さ方向と平行な平面内に広がるリブ４が一体的に形成されているので、露出部２を補強できると同時に、各駐車区画表示具１，８，９，１０が地面に対して回転するのを効果的に防止することができる。さらに、本実施例では、各駐車区画表示具１，８，９，１０の杭部３の横断面が大略四角形状とされていること、および杭部３に溝６が設けられていることによっても、各駐車区画表示具１，８，９，１０の地面に対する回転を防止することができる。
【００４０】
さらに、本実施例では、各駐車区画表示具１，８，９，１０の杭部３に外部抜け止め突起５および溝内抜け止め突起７が設けられているので、各駐車区画表示具１，８，９，１０が地面から抜けにくくすることができる。
【００４１】
なお、図２３では、駐車区画表示具１の露出部２全体が地上に露出しているように示してあるが、本発明においては、各駐車区画表示具の露出部は、少なくともそれらの上面が地上に露出されればよく、一部が地中に埋もれてもよい。
【産業上の利用可能性】
【００４２】
以上のように本発明による駐車区画表示具および駐車区画表示方法は、駐車場において各駐車区画の境界または識別を表示する駐車区画表示具および駐車区画表示方法として有用である。
【図面の簡単な説明】
【００４３】
【図１】本発明の一実施例におけるＴ字状駐車区画表示具を示す斜視図である。
【図２】前記Ｔ字状駐車区画表示具を示す正面図である。
【図３】前記Ｔ字状駐車区画表示具を示す平面図である。
【図４】前記Ｔ字状駐車区画表示具を示す左側面図である。
【図５】前記Ｔ字状駐車区画表示具を示す右側面図である。
【図６】前記Ｔ字状駐車区画表示具を示す背面図である。
【図７】前記Ｔ字状駐車区画表示具を示す底面図である。
【図８】図２のＶＩＩＩ−ＶＩＩＩ線における断面図である。
【図９】図２のＩＸ−ＩＸ線における拡大断面図である。
【図１０】図５のＸ−Ｘ線における断面図である。
【図１１】前記実施例におけるＬ字状駐車区画表示具を示す斜視図である。
【図１２】前記Ｌ字状駐車区画表示具を示す正面図である。
【図１３】前記Ｌ字状駐車区画表示具を示す平面図である。
【図１４】前記Ｌ字状駐車区画表示具を示す左側面図である。
【図１５】前記実施例における直線状駐車区画表示具を示す斜視図である。
【図１６】前記直線状駐車区画表示具を示す正面図である。
【図１７】前記直線状駐車区画表示具を示す平面図である。
【図１８】前記直線状駐車区画表示具を示す左側面図である。
【図１９】前記実施例における識別用駐車区画表示具を示す斜視図である。
【図２０】前記識別用駐車区画表示具を示す正面図である。
【図２１】前記識別用駐車区画表示具を示す平面図である。
【図２２】前記識別用駐車区画表示具を示す左側面図である。
【図２３】前記実施例において駐車区画表示具を注に地中に打ち込んだ状態を示す断面図である。
【図２４】前記実施例において駐車区画表示具により駐車区画の境界および識別を表示した状態を示す平面図である。
【符号の説明】
【００４４】
１    Ｔ字状駐車区画表示具
２    露出部
３    杭部
４    リブ
８    Ｌ字状駐車区画表示具
９    直線状駐車区画表示具
１０    識別用駐車区画表示具
１７    駐車区画
【図１】
2006342531.tif 000003
【図２】
2006342531.tif 000004
【図３】
2006342531.tif 000005
【図４】
2006342531.tif 000006
【図５】
2006342531.tif 000007
【図６】
2006342531.tif 000008
【図７】
2006342531.tif 000009
【図８】
2006342531.tif 000010
【図９】
2006342531.tif 000011
【図１０】
2006342531.tif 000012
【図１１】
2006342531.tif 000013
【図１２】
2006342531.tif 000014
【図１３】
2006342531.tif 000015
【図１４】
2006342531.tif 000016
【図１５】
2006342531.tif 000017
【図１６】
2006342531.tif 000018
【図１７】
2006342531.tif 000019
【図１８】
2006342531.tif 000020
【図１９】
2006342531.tif 000021
【図２０】
2006342531.tif 000022
【図２１】
2006342531.tif 000023
【図２２】
2006342531.tif 000024
【図２３】
2006342531.tif 000025
【図２４】
2006342531.tif 000026